(57)【要約】      （修正有）【課題】電気掃除機用の多機種共用型集塵袋にあって、多くの機種に対して装着できるものであり、台紙に記載した説明が使用者に理解しやすいものを提供する。【解決手段】複数メーカーの電気掃除機に対応して使用できるようにしたものであって、台紙２の上辺２ａには、上下方向の長さを少なくとも３段階に調整する調整手段３，４を、台紙２の下辺２ｂには、上下方向の位置を決める位置決め手段５，７，８を、台紙２の左辺２ｃには、左右方向の位置を決める位置決め手段６をそれぞれ備え、台紙２の右辺２ｄには調整手段を備えず、集塵口２１の右側方の範囲Ｌにおいて、この右辺２ｄが直線状の形態を呈した電気掃除機用の多機種共用型集塵袋とする。【選択図】図２
0003101111.tif 000002
【実用新案登録請求の範囲】
【請求項１】
前面側に開口部を有する袋本体（１）と、集塵口（２１）を有する台紙（２）とを備え、
袋本体（１）と台紙（２）とが、両者の開口部と集塵口（２１）とを位置合わせして、取り付けられ、
台紙（２）を複数メーカーの複数機種の電気掃除機に設けられた集塵室の取り付け箇所に着脱自在に装着して使用できるようにした電気掃除機用の多機種共用型集塵袋において、
台紙（２）の周囲に、上下方向の長さを調整することができる調整手段（３，４）と、上下左右の位置を決めるための位置決め手段（５，５ａ，６，６ａ，７，８）とを備え、
上記の、上下方向の長さを調整する調整手段は、台紙（２）の上辺（２ａ）に設けられた、少なくとも３段階に長さを調整する調整手段（３，４）であり、
上記の、上下方向の位置を決める位置決め手段は、台紙（２）の下辺（２ｂ）に設けられた位置決め手段（５，５ａ，７，８）であり、
上記の、左右方向の位置を決める位置決め手段は、台紙（２）の左辺（２ｃ）に設けられた位置決め手段（６，６ａ）であって、
台紙（２）の右辺（２ｄ）には調整手段を備えず、集塵口（２１）の右側方の範囲（Ｌ）において、この右辺（２ｄ）が直線状の形態を呈することを特徴とする電気掃除機用の多機種共用型集塵袋。
【請求項２】
上記の、上下左右の位置を決めるための位置決め手段（５，６，７，８）のうち、少なくとも１つが、使用者が手で引っ張ることにより切り取り可能な切り取り線（５０，６０）によって規定されたものであり、
集塵口（２１）と、台紙（２）の下辺（２ｂ）に設けられた位置決め手段（５，７，８）とが、台紙（２）において、左右方向の長さの二等分線（Ｃ１）に対して線対称の位置に設けられ、
集塵口（２１）と、台紙（２）の左辺（２ｃ）に設けられた位置決め手段（６）とが、
台紙（２）において、台紙（２）の上辺（２ａ）に設けられた調整手段（３，４）をすべて取り去った状態における、上下方向の長さの二等分線（Ｃ２）上に設けられたことを特徴とする、
請求項１に記載の電気掃除機用の多機種共用型集塵袋。
【請求項３】
上記の、上下方向の長さを調整することができる調整手段（３，４）が、使用者が手で引っ張ることにより切り取り可能な切り取り線（３０，４０）によって規定されたものであり、
上記の、上下左右の位置を決めるための位置決め手段（５ａ，６ａ，７，８）が、下辺（２ｂ）及び左辺（２ｃ）に形成された凹部であり、
集塵口（２１）と、台紙（２）の下辺（２ｂ）に設けられた位置決め手段（５ａ，７，８）とが、台紙（２）において、左右方向の長さの二等分線（Ｃ１）に対して線対称の位置に設けられ、
集塵口（２１）と、台紙（２）の左辺（２ｃ）に設けられた位置決め手段（６）とが、
台紙（２）において、台紙（２）の上辺に設けられた調整手段（３，４）をすべて取り去った状態における、上下方向の長さの二等分線（Ｃ２）上に設けられたことを特徴とする、
請求項１に記載の電気掃除機用の多機種共用型集塵袋。
【請求項４】
集塵袋の使用方法を示す種々の説明（Ａ）が、袋本体（１）にのみ記載されたことを特徴とする、請求項１から３のいずれかに記載の電気掃除機用の多機種共用型集塵袋。
【請求項５】
袋本体（１）の前面側であって、台紙（２）の上辺（２ａ）側と下辺（２ｂ）側との少なくとも一方側に上下表示部（Ａｖ）が設けられ、
袋本体（１）の前面側であって、台紙（２）の左辺（２ｃ）側と右辺（２ｄ）側との少なくとも一方側に左右表示部（Ａｈ）が設けられ、
上下表示部（Ａｖ）は、台紙（２）の上下方向を、電気掃除機に設けられた集塵室の取り付け箇所の上下方向と一致させて装着する場合に関する表示がなされた部分であり、
左右表示部（Ａｈ）は、台紙（２）の左右方向を、上記の取り付け箇所の上下方向と一致させて装着する場合に関する表示がなされた部分であり、
上下表示部（Ａｖ）と左右表示部（Ａｈ）には、各々に、電気掃除機の対応機種を表示した機種表示部（Ａ１）、調整手段（３，４）の切り取り方法を表示した切取方法指示部（Ａ２）、電気掃除機に設けられた集塵室の取り付け箇所への取り付け方向を表示した取付方法指示部（Ａ３）がそれぞれ設けられたことを特徴とする、請求項３に記載の電気掃除機用の多機種共用型集塵袋。
【考案の詳細な説明】
【技術分野】
【０００１】
本願考案は、電気掃除機用の多機種共用型集塵袋に関するものである。
【背景技術】
【０００２】
従来から、使い捨て用の電気掃除機用集塵袋が知られている。この従来の電気掃除機用集塵袋は、一般に、前面に開口部を有する袋本体と、電気掃除機に着脱自在に取り付ける厚紙からなる板状の台紙とを備え、袋本体の開口部と台紙の集塵口とを合致させて、両者を接着したものである。袋本体は、偏平に折り畳まれて台紙の裏面に配位された状態で電気掃除機に装着され、電気掃除機の作動時に、台紙から広がるようにされる。
この種の従来の集塵袋は、台紙より上下左右が大きな袋本体を、例えば上下に襠を付ける等して見かけ上の上下の長さを小さくし、さらに、左右の折り込み部を台紙裏面側に折り畳んだものである。そして、使用に際しては、電気掃除機に設けた集塵室の取付部に、台紙を取り付けることにより、電気掃除機用集塵袋を集塵室に装着できるとともに、電気掃除機の吸引作用に伴って袋本体が集塵室の内壁まで膨らむ。
【考案の開示】
【考案が解決しようとする課題】
【０００３】
ここで、各社共用タイプの集塵袋にあっては、掃除機の機種によって、集塵室の取付部の形状、位置、大きさ等が様々であるため、台紙に切り取り片や切り込みや貫通穴などを複数箇所に設け、使用者が台紙に設けられた切り取り線から切り取り片を折り取って、集塵室の取付部に装着している。
ところが、従来の集塵袋にあっては、上記の切り取り片や切り込みや貫通穴の使用方法を示す種々の説明が袋本体や台紙に記載されていた。そのため、使用者がこの集塵袋を使用するに当たり、理解するのに時間がかかったり、混乱を招いたりすることがあって、使用者からメーカーに苦情が寄せられることがあった。
【０００４】
本願考案は、電気掃除機用の多機種共用型集塵袋にあって、多くの機種に対して装着できるものであり、袋本体や台紙に記載した説明が使用者に理解しやすいものを提供することを課題とする。
【課題を解決するための手段】
【０００５】
そこで、本願の請求項１に記載の考案は、前面側に開口部を有する袋本体１と、集塵口２１を有する台紙２とを備え、袋本体１と台紙２とが、両者の開口部と集塵口２１とを位置合わせして、取り付けられ、台紙２を複数メーカーの複数機種の電気掃除機に設けられた集塵室の取り付け箇所に着脱自在に装着して使用できるようにした電気掃除機用の多機種共用型集塵袋において、台紙２の周囲に、上下方向の長さを調整することができる調整手段３，４と、上下左右の位置を決めるための位置決め手段５，５ａ，６，６ａ，７，８とを備え、上記の、上下方向の長さを調整する調整手段は、台紙２の上辺２ａに設けられた少なくとも３段階に長さを調整する調整手段３，４であり、上記の、上下方向の位置を決める位置決め手段は、台紙２の下辺２ｂに設けられた位置決め手段５，５ａ，７，８であり、上記の、左右方向の位置を決める位置決め手段は、台紙２の左辺２ｃに設けられた位置決め手段６であって、台紙２の右辺２ｄには調整手段を備えず、集塵口２１の右側方の範囲Ｌにおいて、この右辺２ｄが直線状の形態を呈することを特徴とする電気掃除機用の多機種共用型集塵袋を提供する。
【０００６】
また、本願の請求項２に記載の考案は、上記の、上下左右の位置を決めるための位置決め手段５，６，７，８のうち、少なくとも１つが、使用者が手で引っ張ることにより切り取り可能な切り取り線５０，６０によって規定されたものであり、集塵口２１と、台紙２の下辺２ｂに設けられた位置決め手段５，７，８とが、台紙２において、左右方向の長さの二等分線Ｃ１に対して線対称の位置に設けられ、集塵口２１と、台紙２の左辺２ｃに設けられた位置決め手段６とが、台紙２において、台紙２の上辺２ａに設けられた調整手段３，４をすべて取り去った状態における、上下方向の長さの二等分線Ｃ２上に設けられたことを特徴とする、請求項１に記載の電気掃除機用の多機種共用型集塵袋を提供する。
【０００７】
また、本願の請求項３に記載の考案は、上記の、上下方向の長さを調整することができる調整手段３，４が、使用者が手で引っ張ることにより切り取り可能な切り取り線３０，４０によって規定されたものであり、上記の、上下左右の位置を決めるための位置決め手段５ａ，６ａ，７，８が、下辺２ｂ及び左辺２ｃに形成された凹部であり、集塵口２１と、台紙２の下辺２ｂに設けられた位置決め手段５ａ，７，８とが、台紙２において、左右方向の長さの二等分線Ｃ１に対して線対称の位置に設けられ、集塵口２１と、台紙２の左辺２ｃに設けられた位置決め手段６とが、台紙２において、台紙２の上辺に設けられた調整手段３，４をすべて取り去った状態における、上下方向の長さの二等分線Ｃ２上に設けられたことを特徴とする、請求項１に記載の電気掃除機用の多機種共用型集塵袋を提供する。
【０００８】
また、本願の請求項４に記載の考案は、集塵袋の使用方法を示す種々の説明が、袋本体１にのみ記載されたことを特徴とする、請求項１から３のいずれかに記載の電気掃除機用の多機種共用型集塵袋を提供する。
【０００９】
また、本願の請求項５に記載の考案は、袋本体１の前面側であって、台紙２の上辺２ａ側と下辺２ｂ側との少なくとも一方側に上下表示部Ａｖが設けられ、袋本体１の前面側であって、台紙２の左辺２ｃ側と右辺２ｄ側との少なくとも一方側に左右表示部Ａｈが設けられ、上下表示部Ａｖは、台紙２の上下方向を、電気掃除機に設けられた集塵室の取り付け箇所の上下方向と一致させて装着する場合に関する表示がなされた部分であり、左右表示部Ａｈは、台紙２の左右方向を、上記の取り付け箇所の上下方向と一致させて装着する場合に関する表示がなされた部分であり、上下表示部Ａｖと左右表示部Ａｈには、各々に、電気掃除機の機種を表示した機種表示部Ａ１、調整手段３，４の切り取り方法を表示した切取方法指示部Ａ２、電気掃除機に設けられた集塵室の取り付け箇所への取り付け方向を表示した取付方法指示部Ａ３がそれぞれ設けられたことを特徴とする、請求項３に記載の電気掃除機用の多機種共用型集塵袋を提供する。
【考案の効果】
【００１０】
本願の請求項１または２に記載の考案は、電気掃除機用の多機種共用型集塵袋にあって、台紙２の周囲に、上下の長さを調整することができる調整手段３，４と、上下左右の位置を決めるための位置決め手段５，５ａ，６，６ａ，７，８とを備えることにより多くの機種に対して装着できる。そして、台紙２の右辺２ｄには切り取り片や切り込みなどの調整手段を備えないため、その分、袋本体１や台紙２における説明Ａの記載が不要となる。また、台紙２の左辺２ｃには位置決め手段６を１箇所のみ備えるため、説明はこの１箇所分のみで良い。このように袋本体１や台紙２上の説明Ａの記載を簡素なものとできるため、使用者に理解しやすく、混乱を招く可能性を減少できる。
また、請求項３に記載の考案においては、上記に加え、切り取りを要する部分が調整手段３，４のみであるため、使用方法が使用者にとって単純明快であって理解しやすく、集塵袋の迅速な装着が可能である。
また、請求項４に記載の考案においては、上記請求項１から３のいずれかに記載の考案の効果に加え、台紙２上に説明Ａが記載されないため、すっきりとした外観の台紙２とできる。
また、請求項５に記載の考案においては、上記請求項３に記載の考案の効果に加え、台紙２の装着方向に合わせた上下表示部Ａｖ及び左右表示部Ａｈを袋本体１に表示することにより、集塵袋の取り付け方法が使用者に理解しやすいものとでき、簡単に取り付けることができる。
【考案を実施するための最良の形態】
【００１１】
以下、図面に基づき本願考案の実施の形態についての一例を取り上げて説明する。図１は、本例の電気掃除機用の多機種共用型集塵袋における台紙を袋本体に取り付けた状態を示す斜視図である。図２は、本例の電気掃除機用の多機種共用型集塵袋における台紙を示す平面図である。
【００１２】
この実施の形態に係る多機種共用型集塵袋は、図１に示すように、前面側に開口部（図示せず）を有する袋本体１と、中央に集塵口２１を有する台紙２とを備える。集塵口２１は具体的には、その中心が、図２に示すように、台紙２の左右方向における長さの二等分線Ｃ１と、台紙２の上下方向における長さの二等分線Ｃ２の交点と一致するものである。つまり、集塵口２１は、台紙２の左右方向における長さの二等分線Ｃ１と、台紙２の上下方向における長さの二等分線Ｃ２に対して、線対称に形成されたものである。
この袋本体１と台紙２とは、両者の開口部と集塵口２１とを位置合わせして接着されている。袋本体１の材質は、特に限定されず、柔軟性、通気性を有する濾材を使用でき、例えば合成繊維、パルプ、合成樹脂、合成ゴム、あるいは金属等を素材とし、紙、不織布、織布、フィルムやシート等にしたものを単独又は積層して形成できる。また、必要に応じて、抗菌剤や芳香剤を含浸させておいてもよい。袋本体１は、両サイドに複数の襠を形成して、長く折り畳まれた状態で台紙２の後面側に取り付けられており、さらに、袋本体１の長手方向の両側を台紙２の後面側に折り返して、コンパクトな状態にして出荷され、電気掃除機に装着される。台紙２は、電気掃除機の取付部に取り付けて全体を支持できる強度があればよく、厚紙が一般的ではあるが、合成樹脂シート等の他の材質に変更したり、複数種類の材質のものを積層したりして使用することも可能である。
【００１３】
この台紙２は、図２に示すように、全体が略４角形（幾何学的に４角形でなくとも、上下左右の４方向が区別できればよい）をなすと共に、その周囲に切り取り片３，４，５，６及び位置決め面取部７、位置決め凹部８が各々設けられている。
より詳しくは、台紙２の上辺２ａに第１，第２の上切り取り片３，４が２段に設けられ、台紙２の下辺２ｂに下切り取り片５が、台紙２の左辺２ｃに左切り取り片６が設けられている。各切り取り片３，４，５，６は、ミシン目などの切り取り線３０，４０，５０，６０によって規定され、使用者が手で引っ張ることにより、各切り取り片３，４，５，６を折り取ることができるようになっており、このように各切り取り片３，４，５，６を適宜折り取ることによって、各社の電気掃除機の取付部に適合させることができる。
また、位置決め面取部７は台紙２の左右下方の角部に、位置決め凹部８は台紙２の下辺２ｂに各々設けられた、当初から切り取られた状態の凹部（切欠）であって、上記のように各社の電気掃除機の取付部に適合させる際に、台紙２の上下方向の位置決めをなすものである。
【００１４】
第１上切り取り片３は、台紙２の左右辺２ｃ，２ｄ間の長さに等しい長さを持つ帯状部分である。
第２上切り取り片４は、台紙２の左右辺２ｃ，２ｄ間の長さに等しい長さを持つ帯状部分であり、上辺が第１上切り取り片３と、ミシン目などから構成された切り取り線３０を介してつながっている。この切り取り線３０は直線状をなし、この切り取り線３０から第１上切り取り片３を折り取ることによって、第２上切り取り片４の直線状の上辺が現れる。また、この第２上切り取り片４の下辺にも、切り取り線３０と同様の切り取り線４０が形成されており、これにより、第２上切り取り片４を切り取り線４０から折り取ることができる。
つまり、第１上切り取り片３や第２上切り取り片４を選択して切り取ることによって、台紙２の上下の長さを３段階に調整することができる。
【００１５】
下切り取り片５は、台紙２の下辺２ｂに設けられたものであり、台紙２の左右方向における長さの二等分線Ｃ１上に設けられた、台紙２の左右両側を残して下方に突出した突出片である。そして、下切り取り片５と台紙２の本体との間に、ミシン目などから構成された、折り取り用の切り取り線５０が形成されている。この切り取り線５０は、左右方向の中央が上方に膨出して形成されており、この切り取り線５０から下切り取り片５を折り取ることによって、両端に下方に突出した凸部５１，５１が形成され、凸部５１，５１間が図３に示したような凹部５ａとなる。この下切り取り片５は、台紙２の上下方向の位置決めをなすためのものである。
【００１６】
左切り取り片６は、台紙２の左辺２ｃに設けられたものであり、台紙２の上辺２ａに上記のように設けられた、第１上切り取り片３と第２上切り取り片４とを取り去った状態における、台紙２の上下方向における長さの二等分線Ｃ２上に１箇所設けられている。そして、左切り取り片６と台紙２の本体との間に、ミシン目などから構成された、折り取り用の切り取り線６０が形成されている。この切り取り線６０から左切り取り片６を折り取ることによって、台紙２の左辺に、図３に示したような凹部６ａが形成される。この左切り取り片６は、台紙２の左右方向の位置決めをなすためのものである。
【００１７】
位置決め面取部７は、台紙２の左右方向における長さの二等分線Ｃ１に対して線対称の位置である、左右下方の角部に設けられたものであり、台紙２の下辺２ｂと左辺２ｃの交点、下辺２ｂと右辺２ｄの交点を所定長さ分に面取りしたものである。
【００１８】
位置決め凹部８は、台紙２の下辺２ｂであり、左右方向における長さの二等分線Ｃ１に対して線対称の位置に２箇所設けられた凹部である。
【００１９】
なお、上記の下切り取り片５や左切り取り片６は、本例においては、切り取り線５０，６０により切り取り可能に構成されているが、図３に示すように、位置決め面取部７や位置決め凹部８のように、当初から切り取られた状態の凹部５ａ，６ａとして形成しても良い。このようにすることにより、切り取りを要する部分が第１上切り取り片３及び第２上切り取り片４のみとなり、使用方法が使用者にとって単純明快であって理解しやすく、集塵袋の迅速な装着が可能なものとできる。
また、上記とは逆に、位置決め面取部７や位置決め凹部８を、切り取り線により切り取り可能に構成しても良い。
【００２０】
本願考案における台紙２の右辺２ｄには、切り取り部や切欠は設けられていない。また、図２に示すように、集塵口２１の右側方の範囲Ｌにおいて、この右辺２ｄが直線状の形態を呈するものである。袋本体１や台紙２の表面には、例えば図１に示すように、各社の電気掃除機の取付部に適合させるために、各切り取り片３，４，５，６を適宜折り取ることに関する説明Ａが記載されるが、このように台紙２の右辺２ｄには切り取り部や切欠を設けず、かつ台紙２の左辺２ｃの左切り取り片６を１箇所にすることで、従来よりも、袋本体１や台紙２における説明Ａの記載量を減少させることができ、シンプルなものとできる。
なお、図１に示すように、説明Ａを台紙２には記載せず、袋本体１にのみ記載しても良い。これにより、すっきりとした外観の台紙２とできる。
【００２１】
図４に本願考案の他の実施例を示す。これは、袋本体１を、図１に示したように襠を形成せず、平坦な封筒状に形成し、この袋本体１の前面に、図３に示す台紙２を取り付けたものである。襠が形成されない分、電気掃除機に取り付けて使用する際、袋本体１を容易に膨らませるため、袋本体の材質としては、比較的柔軟な材質である不織布を用いることが望ましい。
この実施例においては、袋本体１の前面側に説明Ａが記載されており、説明Ａは、台紙２の上辺２ａ側と下辺２ｂ側とにそれぞれ設けられた上下表示部Ａｖと、台紙２の左辺２ｃ側に設けられた左右表示部Ａｈとからなる。なお、上下表示部Ａｖは、台紙２の上辺２ａ側と下辺２ｂ側との少なくとも一方側に設けられていれば良く、左右表示部Ａｈは、台紙２の左辺２ｃ側と右辺２ｄ側との少なくとも一方側に設けられていれば良い。
【００２２】
上下表示部Ａｖは、台紙２の上下方向を、電気掃除機に設けられた集塵室の取り付け箇所の上下方向と一致させて装着する場合に関する表示がなされた部分であり、左右表示部Ａｈは、台紙２の左右方向を、上記の取り付け箇所の上下方向と一致させて装着する場合に関する表示がなされた部分である。言い換えると、台紙２と、取り付け時に該当する表示部Ａｖ，Ａｈとが並ぶ方向は、上記集塵室の取り付け箇所の上下方向に対して必ず一致する。
また、上下表示部Ａｖと左右表示部Ａｈには、各々に、電気掃除機の対応メーカー名や機種を表示した機種表示部Ａ１、第１上切り取り片３及び第２上切り取り片４の切り取り方法を表示した切取方法指示部Ａ２、電気掃除機に設けられた集塵室の取り付け箇所への取り付けに際して台紙２を移動させる方向を表示した取付方法指示部Ａ３がひとまとめに表示されている。
よって使用者は、電気掃除機のメーカー名あるいは機種名と一致する表示が機種表示部Ａ１に記載された上下表示部Ａｖあるいは左右表示部Ａｈを探し、当該表示部Ａｖ，Ａｈにおける切取方法指示部Ａ２及び取付方法指示部Ａ３に記載された指示に従って、第１上切り取り片３及び第２上切り取り片４を切り取り、電気掃除機に集塵袋を取り付ければ良く、簡単に取り付けることができる。
従来の集塵袋においては、台紙に対する説明の記載位置と電気掃除機との関係とが必ずしも一致しておらず、使用者に混乱を招くことがあったが、この例のように説明Ａを表示することにより、台紙２に対する説明Ａの記載位置と電気掃除機との関係が必ず一致するため、集塵袋の取り付け方法が使用者に大変理解しやすいものとなっている。
【００２３】
ここで、切り取り線３０，４０，５０，６０は、通常の切り取り線とすることもできるが、図５（Ａ）に示すように、２種の線を組み合わせて形成することが望ましい。すなわち、切り取り線３０を例に取ると、第１上切り取り片３が切り取られて除去される除去部となり、第２上切り取り片４が台紙２の側に残る残留部となる。そして、切り取り線３０を、除去部３側に近い位置に設けた除去側線１１と、残留部４に近い側に設けた残留側線１２との組み合わせにより構成し、除去側線１１を台紙の表裏を貫通した線とする一方、残留側線１２は、台紙の表裏を貫通した貫通部１３と、表裏を貫通していない非貫通部１４との組み合わせにより構成する。これにより、除去部（第１上切り取り片３）を切り取り線３０から折り取る際、図５（Ｂ）に示すように、除去側線１１には折り取りによってもヒゲが発生せず、残留側線１２の非貫通部１４にのみヒゲｈが発生する。このヒゲｈは、電機掃除機の取付部に装着する際、上下左右の長さを不均一にしたり、装着性を悪くしたりする原因となるが、この場合、除去側線１１は予め貫通しているため、ヒゲが発生しない。その結果、掃除機の取付部には、主としてきれいな切断面となっている除去側線１１のみが接するため、上下左右の長さは実質的に均一に保たれ、装着性が悪くなることも防止される。
【００２４】
さらに、上記の実施の形態にあっては、調整手段を、台紙に切り取り線を形成した切り取り片３，４，５，６として実施したが、長さを調整できるものであれば形態は限定されず、例えば、台紙２に折り目線を設け、この折り目線によって区画された折り曲げ片として実施することもできる。また、調整手段と、各掃除機との対応関係を示すために、調整手段（切り取り片、切り取り線、折り曲げ片、折り目線等）に、符号を付したり、異なる色で着色をしたりする等、機種別の表示を付しておくことも望ましい。
【図面の簡単な説明】
【００２５】
【図１】本願考案の実施の形態についての一例に係る電気掃除機用の多機種共用型集塵袋における台紙を袋本体に取り付けた状態を示す斜視図である。
【図２】本例の電気掃除機用の多機種共用型集塵袋における台紙を示す平面図である。
【図３】本願考案の実施の形態についての、他の実施例に係る電気掃除機用の多機種共用型集塵袋における台紙を示す平面図である。
【図４】本願考案の実施の形態についての、他の実施例に係る電気掃除機用の多機種共用型集塵袋を示す平面図である。
【図５】本例の電気掃除機用の多機種共用型集塵袋における台紙の要部を示すものであり、（Ａ）は同台紙の切り取り線の平面図であり、（Ｂ）は切断後の切り取り線の平面図である。
【符号の説明】
【００２６】
１      袋本体
２１    集塵口
２      台紙
２ａ    上辺
２ｂ    下辺
２ｃ    左辺
２ｄ    右辺
３      調整手段、第１上切り取り片
３０    切り取り線
４      調整手段、第２上切り取り片
４０    切り取り線
５      位置決め手段、下切り取り片
５ａ    凹部
５０    切り取り線
６      位置決め手段、左切り取り片
６ａ    凹部
６０    切り取り線 
７      位置決め手段、位置決め面取部
８      位置決め手段、位置決め凹部
Ａ      説明
Ａｖ    上下表示部
Ａｈ    左右表示部
Ａ１    機種表示部
Ａ２    切取方法指示部
Ａ３    取付方法指示部
Ｃ１    台紙の左右方向における長さの二等分線
Ｃ２    調整手段を取り去った状態の、台紙の上下方向における長さの二等分線
Ｌ      台紙における集塵口の右側方の範囲
【図１】
0003101111.tif 000003
【図２】
0003101111.tif 000004
【図３】
0003101111.tif 000005
【図４】
0003101111.tif 000006
【図５】
0003101111.tif 000007